(57)【要約】【課題】簡素的構造によりＬＥＤが実装されたモジュール基板を被取付部材に保持する照明器具を実現する。【解決手段】複数のＬＥＤ４２が平板状の基板４３に配列された光源部４１と、前記光源部４１を保持する器具本体である本体ケース２１と、前記光源部４１を覆う光源カバー５１と、を備え、前記本体ケース２１は、照明器具の照射面側に突出する突起部２６を設け、前記光源カバー５１は、前記光源部４１に対向する位置にリブ部９３を設け、前記光源部４１は、前記リブ部９３に当接した状態で前記突起部２６に押し当てられる。【選択図】図３
2015069949.tif 000002
【特許請求の範囲】
【請求項１】
光源が基板に配置された光源部と、
前記光源部を保持する器具本体と、
前記光源部を覆う光源カバーと、を備え、
前記器具本体は、
照明器具の照射面側に突出する突起部を設け、
前記光源カバーは、前記光源部に対向する位置にリブ部を設け、
前記光源部は、前記リブ部に当接することで前記突起部に押し当てられる、照明器具。
【請求項２】
請求項１に記載の照明器具であって、
前記光源部は、前記リブ部に係合した状態で前記突起部に押し当てられることにより固定される、照明器具。
【請求項３】
請求項１または請求項２に記載の照明器具であって、
前記複数のＬＥＤは、前記突起部の照射面側に少なくとも配置される、照明器具。
【請求項４】
請求項１から請求項３のいずれか一項に記載の照明器具であって、
前記光源部は、前記基板上において前記基板の短手方向にオフセットした位置に前記基板の長手方向に沿って前記複数のＬＥＤが配置され、
前記突起部は、前記器具本体の短手方向の略中央に配置され、
前記突起部上にＬＥＤが位置するともに、前記基板の短手方向の一端は前記突起部からオフセットした位置に配置される、照明器具。
【請求項５】
請求項１から請求項４のいずれか一項に記載の照明器具であって、
前記器具本体は、箱状である、照明器具。
【請求項６】
請求項１から請求項５のいずれか一項に記載の照明器具であって、
前記器具本体の照射面側を覆うセードを備え、
前記セードは、貫通孔を有する、照明器具。
【発明の詳細な説明】
【技術分野】
【０００１】
本発明は、ＬＥＤを光源とする照明器具に関する。
【背景技術】
【０００２】
近年、低消費電力、長寿命などの利点を有するＬＥＤ（Ｌｉｇｈｔ  Ｅｍｉｔｔｉｎｇ  Ｄｉｏｄｅ：発光ダイオード）を光源として用いた照明器具が種々提案されている。
【０００３】
例えば、特許文献１では、光源として複数のＬＥＤを搭載したモジュール基板をネジで固定した照明器具が開示されている。特許文献１の照明器具は、特許文献1記載の図２に示すように、矩形板状のモジュール基板４４を取り付けるための被取付部材であるフレーム４０に、モジュール基板４４をネジ４５で固定するためにネジ穴を設けている。特許文献１の照明器具では、複数のモジュール基板４４をフレーム４０上の長手方向に一列に並べて、各モジュール基板４４の長手方向の両端部をネジ４５によって固定する構成となっている。
【先行技術文献】
【特許文献】
【０００４】
【特許文献１】特開２０１０−２７７９２４号公報
【発明の概要】
【発明が解決しようとする課題】
【０００５】
特許文献１の照明器具などのようにモジュール基板を被取付部材に取り付ける場合、放熱効果を高めるためにモジュール基板を被取付部材に密着させて固定することが必要である。しかし、そのためには、複数のネジなどの固定部材を用いてモジュール基板を被取付部に固定する必要があるため、部品点数が多くなり、組立工数が増加してしまうという課題がある。そのため、ネジなどの固定部材を用いずにＬＥＤが実装されたモジュール基板を被取付部材に保持することが可能となる簡素的構造が望まれている。
【０００６】
そこで、本発明は、上記課題に鑑みてなされたものであり、簡素的構造によりＬＥＤが実装されたモジュール基板を被取付部材に保持する照明器具を実現することを目的とする。
【課題を解決するための手段】
【０００７】
本発明の解決しようとする課題は以上の如くであり、次にこの課題を解決するための手段を説明する。
【０００８】
すなわち、本願に開示する照明器具は、
光源が基板に配置された光源部と、
前記光源部を保持する器具本体と、
前記光源部を覆う光源カバーと、を備え、
前記器具本体は、
照明器具の照射面側に突出する突起部を設け、
前記光源カバーは、前記光源部に対向する位置にリブ部を設け、
前記光源部は、前記リブ部に当接することで前記突起部に押し当てられるものである。
【０００９】
本願に開示する照明器具は、上記構成を基本として、以下のような態様をとることができる。
【００１０】
本願に開示する照明器具において、
前記光源部は、前記リブ部に係合した状態で前記突起部に押し当てられることにより固定されることが好ましい。
【００１１】
本願に開示する照明器具において、
前記複数のＬＥＤは、前記突起部の照射面側に少なくとも配置されることが好ましい。
【００１２】
本願に開示する照明器具において、
前記光源部は、前記基板上において前記基板の短手方向にオフセットした位置に前記基板の長手方向に沿って前記複数のＬＥＤが配置され、
前記突起部は、前記器具本体の短手方向の略中央に配置され、
前記突起部上にＬＥＤが位置するともに、前記基板の短手方向の一端は前記突起部からオフセットした位置に配置されることが好ましい。
【００１３】
本願に開示する照明器具において、
前記器具本体は、箱状であることが好ましい。
【００１４】
本願に開示する照明器具において、
前記器具本体の照射面側を覆うセードを備え、
前記セードは、貫通孔を有することが好ましい。
【発明の効果】
【００１５】
本発明によれば、ネジなどの固定部材を用いずに簡素的構造によりＬＥＤが実装されたモジュール基板を被取付部材に保持することができる。
【図面の簡単な説明】
【００１６】
【図１】本発明の実施形態に係る照明器具を示す斜視図。
【図２】同じく照明器具を示す平面図。
【図３】同じく照明器具の一部断面を示す側面図。
【図４】図２におけるＡ−Ａ矢視断面図。
【図５】ＬＥＤを実装した基板を示す図。
【図６】本体ケースを示す斜視図。
【図７】光源ケースを示す斜視図。
【図８】光源ケースに基板を係合させた状態を示す斜視図。
【発明を実施するための形態】
【００１７】
本発明の実施形態に係る照明器具１１について、図１から図８を用いて説明する。本実施形態に係る照明器具１１は、ＬＥＤ４２を光源とする照明器具である。照明器具１１は、例えば屋外の壁面や天井面等の取付面に取り付けられる屋外灯である。以下の説明では、照明器具１１の光を照射する側を照明器具１１の照射面側とし、照明器具１１における屋外の壁面や天井面等の取付面に対向する側を照明器具１１の取付面側（照射面側の反対側）として説明する。また、図３に示す照明器具１１において、説明の便宜上前記照射面側を上方とし、前記取付面側を下方として説明する。また、以下の説明において、上方から照明器具１１等を視た状態を平面視とする。上下方向に対して鉛直方向から照明器具１１等を視た状態を側面視とする。照明器具１１等の断面形状を見た状態を断面視とする。
【００１８】
図２、図３に示すように、照明器具１１は、照明器具１１の器具本体となる本体ケース２１、電源装置３１、光源部（ＬＥＤモジュール基板）４１、光源カバー５１、及びセード６１を主に備える。照明器具１１の外形は、平面視において短手方向の長さに対して長手方向の長さの比率が大きい略箱型形状である。セード６１に器具本体となる本体ケース２１が覆われるため、照明器具１１の外形は、セード６１の外形と同一である。
【００１９】
本体ケース２１は、照明器具１１の器具本体を構成するものである。本体ケース２１は、取付面側（図３では、下側）が開口された有底箱状の部材である。本体ケース２１は、平面視において長方形状である。本体ケース２１は、電源装置３１を内部に収容し、光源部４１、光源カバー５１、及びセード６１を本体ケース２１の照射面側に保持する部材である。本体ケース２１を構成する材料としては、例えば熱伝導率の高いアルミニウムやアルミニウム合金等の金属材料が挙げられる。本体ケース２１は、例えば、ダイキャスト成形（本実施形態では、アルミダイキャスト成形）により製造することができる。本体ケース２１は、電源装置３１、光源部４１、光源カバー５１、及びセード６１等を保持するものである。本体ケース２１は、光源取付部２２、収容部２３、周壁部２４、及びフランジ部２５を有している。本体ケース２１は、照明器具１１の照射面側に突出する突起部２６を有する光源取付部２２と、該光源取付部２２に連設される角筒状の周壁部２４と、該周壁部２４の下端から外側に突出するフランジ部２５が単一の部材として一体的に形成されたものである。本体ケース２１は、光源部４１で発生した熱を伝えて外部に放出する放熱機能も有する。本体ケース２１は、電源装置３１、光源部４１、光源カバー５１及びセード６１を保持可能な耐久性と、光源部４１が発する熱を放熱させるための熱伝導性とを考慮し、アルミニウム等の金属材料を用いて形成されている。なお、本体ケース２１は、耐久性及び必要な放熱性が確保できる材料であれば、アルミニウムなどの金属に限らず、樹脂などの他の材料、もしくはそれらの組み合わせで形成することができる。本実施形態の本体ケース２１は、有底箱状に形成されるが、このように、本体ケース２１を有底箱状に形成することで、本体ケース２１の強度や剛性を上げることができる。
なお、本実施形態においては、光源取付部２２や突起部２６を本体ケース２１と一体的に形成しているが、特に限定するものではない。
また、本実施形態においては、本体ケース２１の形状が有底箱状に形成されているが、この形状に特に限定するものではない。例えば、本体ケースを長手方向か短手方向のどちらか一方の両端が開放された断面視コ字状や断面視Ｕ字状、もしくは、長手方向か短手方向のどちらか一方の両端が開放された角筒状に形成することも可能である。
【００２０】
光源取付部２２は、光源部（ＬＥＤモジュール基板）４１が取り付けられる部分である。光源取付部２２は、本体ケース２１の照射面側（図３では、上側）の平面視長方形状の略板状部分である。光源取付部２２は、周壁部２４の上端に連設される平坦部２２ａ、突起部２６、及びカバー取付部２２ｂを有している。
【００２１】
突起部２６は、光源取付部２２の短手方向の略中央部において、本体ケース２１の長手方向に沿って延設される細長の面状部分である。突起部２６は、断面形状が上方（照射面側）に向けて台形状に突出する部分（本実施形態では、細長状で角丸長方形状の上面２６ａを有する）である。突起部２６は、その上面２６ａにおいて光源部４１の基板４３を当接した状態で取り付けるための部分である。本体ケース２１は、光源部４１で発生した熱を伝えて外部に放出する放熱機能も有するため、光源部４１が当接される突起部２６の上面２６ａは、光源部４１との接触面積が広くなるよう平坦に形成されている。
なお、本実施形態では、突起部２６の平面視形状を細長状で角丸長方形状（オーバル形状）としているが、特に限定するものではない。例えば、細長状で長方形状などであってもよい。
【００２２】
カバー取付部２２ｂは、光源カバー５１をネジ５２により取り付けるために突起部２６の長手方向の両端近傍及び短手方向の中央の両端近傍に設けられたネジ孔である。
【００２３】
収容部２３は、光源部４１のＬＥＤ４２を点灯させるための電源装置３１や配線等が収容される部分である。収容部２３は、光源取付部２２及び周壁部２４に囲まれて区画される略直方体状の空間である。収容部２３は、内部に電源装置３１や配線等を収容するための高さ及び幅が確保されている。
【００２４】
電源装置３１は、光源部４１が有するＬＥＤ４２に給電を行って、ＬＥＤ４２を点灯させるための装置である。電源装置３１は、箱状の電源ケース３２内に直方形状に加工されたプリント配線板上に複数の電子部品が実装された電源回路が収容されたものである。電源装置３１は、収容部２３に収容されている。具体的には、電源装置３１は、外部電源から供給される交流電流を所定の直流電流に変換し、変換後の電流を基板４３に実装された複数のＬＥＤ４２に供給するためのものである。電源装置３１には、コネクタ３３が設けられている。照明器具１１を天井に取り付ける際、電源装置３１から延びるコネクタ３３を天井側のコネクタ（図示せず）と接続することで、外部電源と電気的に接続される。電源装置３１と光源部４１は電線（図示せず）によって電気的に接続されている。
【００２５】
光源部４１は、照明器具１１の照射面側に向けて光を出射する部分である。光源部４１は、図２に示すように、モジュール基板である。光源部４１は、平板状（横長状）に加工された基板４３上に、この基板４３の長手方向に点光源である複数（本実施形態では、１２個）のＬＥＤ４２が、等間隔かつ略直線状に基板上に並べられて配置されたものである。なお、本実施形態では光源として複数のＬＥＤ素子を用いたが、これに限らず、ＣＯＢ型発光モジュールや有機ＥＬ素子などを用いても良い。光源部４１は、本体ケース２１の上部に突設された突起部２６上に当接して配置される。具体的には、本実施形態においては、図４に示すように、光源部４１の基板４３上のＬＥＤ４２は、基板４３の短手方向の一方側にオフセットした状態で配置される。光源部４１のＬＥＤ４２は、本体ケース２１の短手方向の中心（図４で示す中心線Ｃ）上に配置されている。光源部４１は、電線（図示せず）によって電源装置３１と電気的に接続されている。
なお、光源部４１は、熱伝導性シート（図示せず）や放熱グリスを介して突起部２６に取り付けてもよく、これにより、より高い放熱性を得ることもできる。
また、本実施形態では、光源部４１として１つのモジュール基板を用いたものであるが、特に限定するものではなく、複数のモジュール基板で光源部を構成してもよい。
【００２６】
光源カバー５１は、平面視において角丸長方形状（オーバル形状）で、光源部４１の上方（照射面側）を覆う略半筒状で透光性を有する。光源カバー５１は、例えば樹脂素材で形成される。光源カバー５１は、ＬＥＤ４２に埃などが付着することを防止し、光源部４１を位置決めし、保持するものである。光源カバー５１は、断面形状が円弧状であるドームカバー部５１ａ、該ドームカバー部５１ａの外周縁に形成されるフランジ部５１ｂ、及びリブ部９３を有している。フランジ部５１ｂは、光源カバー５１を本体ケース２１に設置した場合に、本体ケース２１の光源取付部２２（平坦部２２ａ）の上面側に接触する部分である。フランジ部５１ｂは、その長手方向の両端部及び短手方向の中央の両端部にネジ取付部（ネジ孔）５１ｃを有する。光源カバー５１は、その長手方向の寸法及び短手方向の寸法が前述した光源取付部２２と比べて、略同じ、もしくは、やや小さくなるように形成されている。
【００２７】
リブ部９３は、光源カバー５１において光源部４１に対向する位置に設けられる。リブ部９３は、前記ドームカバー部５１ａの内周面に形成され、該ドームカバー部５１ａの内壁から下側に突設される。リブ部９３は、略半円状の板状体である半円リブ９４、略扇形状の板状体が対向した対向リブ９５、及び略扇形の板状体である扇形リブ９６から構成される。リブ部９３は、ドームカバー部５１ａ内に基板４３を係合して該基板４３を突起部２６に押圧するためのものである。
【００２８】
半円リブ９４は、ドームカバー部５１ａの内周面において光源カバー５１の短手方向に亘って複数箇所（本実施形態では３箇所）に設けられ、その下部に矩形状の切欠き９４ａを有する。該切欠き９４ａの一方の角部には、側方に突出する返し部９４ｂを有する。半円リブ９４は、ＬＥＤ４２の配列方向に直交するように設けられている。
【００２９】
対向リブ９５は、ドームカバー部５１ａの内周面において光源カバー５１の短手方向に対向する複数（本実施形態では２箇所）の大小の扇形状のリブからなる。大小の扇形状のリブには、その角部に角状の切欠き９５ａを有する。大小の扇形状のリブのうち大きい方の角部には、側方に突出する返し部９５ｂを有する。対向リブ９５は、半円リブ９４の間に配置される。対向リブ９５は、ＬＥＤ４２の配列方向に直交するように設けられている。
【００３０】
扇形リブ９６は、ドームカバー部５１ａの内周面において光源カバー５１の長手方向の両端に対向する一対の略扇形の板状体である。扇形リブ９６には、その角部に角状の切欠き９６ａを有する。該切欠き９４ａの角部には、側方に突出する返し部９６ｂを有する。扇形リブ９６は、ＬＥＤ４２の配列方向と略同一方向に沿って設けられている。
【００３１】
リブ部９３における切欠き９４ａ、切欠き９５ａ及び切欠き９６ａは、光源部４１の基板４３が係合する部分である。リブ部９３における切欠き９４ａ、切欠き９５ａ及び切欠き９６ａは、基板４３を係合することで光源カバー５１を本体ケース２１に取り付けた際に、基板４３を突起部２６上に案内して基板４３の位置決めするためのものである。具体的には、切欠き９４ａは、基板４３の短手方向に亘って当接する部分である。切欠き９５ａ及び切欠き９６ａは、基板４３の周縁部（上面及び側面）に当接する部分である。リブ部９３における返し部９４ｂ、返し部９５ｂ及び返し部９６ｂは、光源部４１の基板４３が係合した際に、基板４３が簡単に外れないようにするための部分である。こうして、リブ部９３は、光源部４１の基板４３を係合することで保持することができる。リブ部９３に基板４３が係合された状態で本体ケース２１にネジ５２により取り付けられることで、リブ部９３における切欠き９４ａ、切欠き９５ａ及び切欠き９６ａは、基板４３を突起部２６に圧接する。リブ部９３において、半円リブ９４、対向リブ９５が光源カバー５１の長手方向に等間隔に配設されて基板４３を等間隔で保持し、かつ基板４３の両端を一対の扇形リブ９６で保持する構成であるため、基板４３に均等に圧力をかけて基板４３を突起部２６圧接させて突起部２６に固定することができる。
【００３２】
光源カバー５１は、ドームカバー部５１ａ内のリブ部９３の複数の切欠き（切欠き９４ａ、切欠き９５ａ及び切欠き９６ａ）により基板４３を係合及び当接した状態で、該基板４３を突起部２６に当接し、フランジ部５１ｂに形成されたネジ取付部５１ｃにネジを螺合することで本体ケース２１の光源取付部２２に取り付けられる。このため、基板４３は、ネジ等の取付部材を用いることなく、光源取付部２２に取り付けることができ、作業性及びコスト面で有利である。
なお、本実施形態では、光源部４１は、１枚のＬＥＤ４２を実装した基板４３で構成されているが、特に限定するものではない。例えば、ＬＥＤを実装した基板を本体ケースの長手方向や短手方向に複数配置するように構成することもできる。
また、本実施形態では、切欠き９４ａの形状を矩形状としているが、特に形状を限定するものではなく、ＬＥＤを実装した基板の形状に対応して例えば円弧状、三角状等であってもよい。また、本実施形態では、切欠き９５ａ、９６ａの形状を角状としているが、特に形状を限定するものではなく、ＬＥＤを実装した基板の形状に対応して例えば逆Ｒ状、Ｃ字状等であってもよい。
【００３３】
基板４３を突起部２６に配置した場合、基板４３は、基板４３上の略直線状に並ぶＬＥＤ４２が突起部２６の直上に配置されるとともに、基板４３の短手方向一端が突起部２６から側方にずれた状態で配置される。基板４３は、光源取付部２２の突起部２６に当接して保持されるため、光源部４１が発熱した際には、光源部４１の熱が突起部２６を介して本体ケース２１に伝わる。本体ケース２１に伝わった熱は、本体ケース２１の温度よりも周辺温度が低い場合、本体ケース２１周辺の空気へ伝わる。これにより、突起部２６を介して本体ケース２１に伝わった熱は、放熱される。
【００３４】
光源部４１は、複数のＬＥＤ４２が光源取付部２２の突起部２６の照射面側に少なくとも配置される。これは、基板４３上に実装されたＬＥＤ４２が発熱源となるため、少なくともＬＥＤ４２を突起部２６の細長領域内に配置することで放熱の効率化を図るためである。例えば、本実施形態のように、基板４３の平面視における大きさ・形状と、突起部２６の平面視における大きさ・形状とは、同一である必要はない。すなわち、発熱源であるＬＥＤ４２を基板４３を介して突起部２６の細長領域内に配置すれば放熱効果が得られるため、基板４３の外周縁部などの基板４３上にＬＥＤ４２が実装されていない部分は、図４に示すように、突起部２６の領域からオフセットして配置してもかまわない。
【００３５】
セード６１は、本体ケース２１の照射面側を覆うように取り付けられ、光源部４１からの光を反射及び拡散させつつ、外部へ配光する有底箱状の部材である。セード６１は、平面視において長方形状であり、側面視において照射面側に台形状に突出した形状である。セード６１は、透光性を有する樹脂素材で形成されている。セード６１は、外周縁に段部６２を有している。セード６１は、その長手方向の両端の段部６２を、本体ケース２１の長手方向の両端のセード取付部２９上に配置して、ネジ６３で取り付けられる。セード６１は、セード６１の内部の清掃や本体ケース２１の部品交換等のために、ネジ６３を容易に取り外し可能に構成されており、本体ケース２１に対して着脱できる構造となっている。セード６１は、その上部の長手方向両端に水抜き用の貫通孔６４を有している。貫通孔６４は、雨水等がセード６１内に入り込んだ場合に、排出するためのスリット状の孔である。
なお、本実施形態では、セード６１に貫通孔６４を設ける構成としているが、特に限定するものではない。例えば、本実施形態の照明器具１１を屋内用の照明器具として使用する場合などでは、貫通孔６４は必須の構成ではない。
【００３６】
以上説明した本実施形態に係る照明器具１１によれば、本体ケースに突起部２６を設け、光源部４１をリブ部９３に当接した状態で突起部２６に押し当てられるため、ネジなどの固定部材を用いずに簡素的構造によりＬＥＤ４２が実装された基板４３を被取付部材である本体ケース２１に保持することができる。すなわち、本実施形態によれば、基板４３を光源カバー５１で押さえた際にリブ部９３が基板４３を押さえるので、基板４３がガタツキなく保持される。
【００３７】
また、従来ＬＥＤを実装したモジュール基板の放熱効果を高めるためには、モジュール基板を被取付部材にネジなどの固定部材により密着させて固定することが必要であるが、この場合、ネジを強く締めすぎると基板に応力がかかり、基板が反り返って湾曲したり、割れてＬＥＤが剥離したりしてしまうことがある。これに対して、本実施形態によれば、基板４３を光源カバー５１で押さえた際にリブ部９３が基板４３を押さえるので、基板４３の湾曲を抑えることができ、基板４３の変形や、ＬＥＤ４２の剥離を防ぐことができる。
【００３８】
また、本実施形態では、図８に示すように、光源ケース５１に基板４３を係合させた状態で突起部２６に押し当てられることにより固定される。これにより、基板４３をネジ等の固定部材を用いずに、突起部２６に取り付けることができ、部品点数や作業工数が削減できる。
【００３９】
また、本実施形態では、基板４３を光源カバー５１で本体ケース２１に押さえて固定する構成とした。これにより、基板４３にネジ孔（ビス孔）が不要となるため、基板４３を小型化することができる。
【００４０】
また、本実施形態では、複数のＬＥＤ４２は、光源取付部２２の突起部２６の照射面側に少なくとも配置される。これにより、発熱源となる複数のＬＥＤ４２が突起部２６に接触または近接する位置に配置されるため、突起部２６を介して本体ケース２１から周囲の空気に熱を効率的に伝導させ、さらに放熱性を向上することができる。
【００４１】
また、本実施形態では、図２、図４に示すように、光源部４１が、基板４３上において基板４３の短手方向にオフセットした位置に基板４３の長手方向に沿って複数のＬＥＤ４２が配置される。基板４３のＬＥＤ４２が配置された反対側にコネクタ４４が配置される。突起部２６が、本体ケース２１の短手方向の略中央に配置され、前記突起部２６上にＬＥＤ４２が位置するともに、前記基板４３の短手方向の一端は前記突起部２６からオフセットした位置に配置される。これにより、基板４３の一部（コネクタ４４が配置された側）が本体ケース２１から浮いた（離間した）状態となり、光源部４１と本体ケース２１との間の絶縁距離を確保できる。これにより、非絶縁タイプの電源回路を採用できるため、小型の照明器具を実現できるとともにコスト的に有利となる。
また、このような部品配置を行うことで、基板４３の短手方向の長さを短くすることができる。例えば、基板４３の短手方向の中央にＬＥＤ４２を配置し、基板４３の中央に突起部２６の中央が位置するように配置し、コネクタ４４を図５に示す位置に配置すると、基板４３の短手方向の長さが長くなる。これに対して本実施形態では、上記の部品配置としていることで基板４３の短手方向の長さを短くできるため、リブ部９３からの押圧による基板４３の撓みを軽減できる。したがって、基板４３が撓むことによる基板４３と突起部２６との離間を軽減し、ＬＥＤ４２の配置されている基板４３と突起部２６との接触面積が小さくなることを防ぐことが可能となる。
【００４２】
また、本実施形態では、器具本体である本体ケース２１は、箱状である。これより、本体ケース２１の強度や剛性を確保できる。
【００４３】
以上、本発明の実施形態について説明したが、本発明は上記実施形態に限定されるものではなく、様々な変更が可能である。例えば、照明器具１１は箱型形状としたが、丸型やその他の形状としてもよい。また、屋外灯の他、屋内灯等に適用してもよい。
【００４４】
本実施形態の本体ケース２１の形状は一例であり、本実施形態の形状に限定されるものではない。例えば、照明器具１１の形状が箱型以外の球型やその他の形状である場合には、それに応じた形状とすることができる。また、光源部４１の形状に応じて適宜変形させることも可能である。
【符号の説明】
【００４５】
１１    照明器具
２１    本体ケース
２６    突起部
４１    光源部
４２    ＬＥＤ
４３    基板
５１    光源カバー
９３    リブ部
【図１】
2015069949.tif 000003
【図２】
2015069949.tif 000004
【図３】
2015069949.tif 000005
【図４】
2015069949.tif 000006
【図５】
2015069949.tif 000007
【図６】
2015069949.tif 000008
【図７】
2015069949.tif 000009
【図８】
2015069949.tif 000010